(57)【要約】【課題】空調機と熱交換器を制御する空調制御装置において、快適な室内環境を確保しつつ、機器の電力消費量を削減する。【解決手段】空調制御装置１０は、室内温度センサ２０により検出された室内温度と、外気温度センサ２２により検出された外気温度と、室内の設定温度とに基づいて、空調機１４と熱交換器１６を制御する空調コントローラ２４を備える。空調コントローラ２４は、外気温度が室内温度と設定温度の間にある場合、設定温度と外気温度の温度差に基づいて、空調機１４と熱交換器１６を制御する。この制御により、快適な室内環境を確保しつつ、機器の電力消費量を削減することができる。【選択図】図１
2010181078.tif 000002
【特許請求の範囲】
【請求項１】
室内の冷暖房を行う空調機と、
外気と室内空気を交換する換気運転と、外気と室内空気を交換するとともに外気と室内空気の間で熱を交換する熱交換運転とを切り替え可能な熱交換器と、
室内温度を検出する室内温度センサと、
外気温度を検出する外気温度センサと、
室内温度センサにより検出された室内温度と、外気温度センサにより検出された外気温度と、室内の設定温度とに基づいて、空調機と熱交換器を制御する空調コントローラと、
を備え、
空調コントローラは、外気温度が室内温度と設定温度の間にある場合、設定温度と外気温度の温度差に基づいて、空調機と熱交換器を制御する、
ことを特徴とする空調制御装置。
【請求項２】
請求項１に記載の空調制御装置において、
空調コントローラは、前記温度差が第一の所定値未満である場合、空調機を停止させ、熱交換器を運転させる、
ことを特徴とする空調制御装置。
【請求項３】
請求項２に記載の空調制御装置において、
空調コントローラは、前記温度差が、第一の所定値より低く設定された第二の所定値以上である場合、熱交換器を換気運転に切り替える、
ことを特徴とする空調制御装置。
【請求項４】
請求項３に記載の空調制御装置において、
空調コントローラは、前記温度差が第二の所定値未満である場合、熱交換器を熱交換運転に切り替える、
ことを特徴とする空調制御装置。
【請求項５】
請求項２から４のいずれか１つに記載の空調制御装置において、
空調コントローラは、前記温度差が第一の所定値以上である場合、空調機を運転させ、熱交換器を熱交換運転に切り替えて運転させる、
ことを特徴とする空調制御装置。
【請求項６】
請求項１から５のいずれか１つに記載の空調制御装置において、
さらに、利用者の入退室を管理する入退室管理部を備え、
入退室管理部が、室内に利用者がいないと判断した場合、空調コントローラは、室内温度センサにより検出された室内温度と、外気温度センサにより検出された外気温度と、室内の設定温度とに関係なく、空調機と熱交換器を停止させる、
ことを特徴とする空調制御装置。
【請求項７】
請求項６に記載の空調制御装置において、
室内に配置され、利用者を感知する人感センサを有し、
入退室管理部は、人感センサの検出結果に基づいて、室内に利用者がいるか否かを判断する、
ことを特徴とする空調制御装置。
【請求項８】
請求項６に記載の空調制御装置において、
居室の外に配置され、利用者が保持する記憶媒体に記憶された情報を読み取る情報読取部を有し、
入退室管理部は、情報読取部からの情報に基づいて、室内に利用者がいるか否かを判断する、
ことを特徴とする空調制御装置。
【発明の詳細な説明】
【技術分野】
【０００１】
本発明は、空調機と熱交換器を制御する空調制御装置に関し、特に機器の電力消費量の削減を図る制御に関する。
【背景技術】
【０００２】
従来から、人が快適に活動できる室内環境を確保するために、室内の冷暖房を行う空調機と、室内の換気を行うとともに外気と室内空気の熱交換を行う熱交換器とを有し、室内温度と設定温度とに基づいて、それらの機器を制御する空調制御装置が知られている。
【０００３】
下記特許文献１には、室内の冷暖房を行う空調装置と、室内の換気を行うとともに外気と室内空気の熱交換を行う熱交換型換気ユニットと、室内温度に基づいて空調装置と熱交換型換気ユニットを制御する制御手段とを有する換気空調装置が開示されている。この換気空調装置においては、制御手段が、室内温度が設定温度に達したときに、熱交換型換気ユニットの運転を、送風量を微弱に設定して継続させるとともに、空調装置の運転を継続させるよう制御するので、例えば冬期に室内への冷風の吹き出しを防止することができ快適な室内環境を確保することができる。
【０００４】
下記特許文献２には、ＩＣカードによる認証を用いて入退室を管理する入退管理システムであって、ＩＣカードの認証を受けた場合、空調機を起動するように制御する入退管理システムが開示されている。
【先行技術文献】
【特許文献】
【０００５】
【特許文献１】特開２００５−３２６０４７号公報
【特許文献２】特開２００８−１９２０９５号公報
【発明の概要】
【発明が解決しようとする課題】
【０００６】
下記特許文献１の換気空調装置においては、室内温度が設定温度に達しても、制御手段が空調装置と熱交換型換気ユニットの運転を継続させるように制御することにより、快適な室内環境を確保している。しかしながら、快適な室内環境を確保しようとすると、機器の運転を継続させなければならないので、機器の電力消費量が増加してしまい、近年企業が取り組んでいる省エネ活動の妨げになってしまうという問題がある。
【０００７】
本発明の目的は、空調機と熱交換器を制御する空調制御装置において、快適な室内環境を確保しつつ、機器の電力消費量を削減することができる空調制御装置を提供することにある。
【課題を解決するための手段】
【０００８】
本発明は、室内の冷暖房を行う空調機と、外気と室内空気を交換する換気運転と、外気と室内空気を交換するとともに外気と室内空気の間で熱を交換する熱交換運転とを切り替え可能な熱交換器と、室内温度を検出する室内温度センサと、外気温度を検出する外気温度センサと、室内温度センサにより検出された室内温度と、外気温度センサにより検出された外気温度と、室内の設定温度とに基づいて、空調機と熱交換器を制御する空調コントローラと、を備え、空調コントローラは、外気温度が室内温度と設定温度の間にある場合、設定温度と外気温度の温度差に基づいて、空調機と熱交換器を制御することを特徴とする。
【０００９】
また、空調コントローラは、前記温度差が第一の所定値未満である場合、空調機を停止させ、熱交換器を運転させることができる。
【００１０】
また、空調コントローラは、前記温度差が、第一の所定値より低く設定された第二の所定値以上である場合、熱交換器を換気運転に切り替えることができる。
【００１１】
また、空調コントローラは、前記温度差が第二の所定値未満である場合、熱交換器を熱交換運転に切り替えることができる。
【００１２】
また、空調コントローラは、前記温度差が第一の所定値以上である場合、空調機を運転させ、熱交換器を熱交換運転に切り替えて運転させることができる。
【００１３】
また、利用者の入退室を管理する入退室管理部を備え、入退室管理部が、室内に利用者がいないと判断した場合、空調コントローラは、室内温度センサにより検出された室内温度と、外気温度センサにより検出された外気温度と、室内の設定温度とに関係なく、空調機と熱交換器を停止させることができる。
【００１４】
また、室内に配置され、利用者を感知する人感センサを有し、
入退室管理部は、人感センサの検出結果に基づいて、室内に利用者がいるか否かを判断することができる。
【００１５】
また、居室の外に配置され、利用者が保持する記憶媒体に記憶された情報を読み取る情報読取部を有し、入退室管理部は、情報読取部からの情報に基づいて、室内に利用者がいるか否かを判断することができる。
【発明の効果】
【００１６】
本発明の空調制御装置によれば、空調機と熱交換器を制御する空調制御装置において、快適な室内環境を確保しつつ、機器の電力消費量を削減することができる。
【図面の簡単な説明】
【００１７】
【図１】本実施形態の空調制御装置の構成を示す図である。
【図２】夏期における機器の動作と温度との関係を示す図である。
【図３】冬期における機器の動作と温度との関係を示す図である。
【図４】夏期における空調制御装置の制御動作を示すフローチャートである。
【図５】冬期における空調制御装置の制御動作を示すフローチャートである。
【発明を実施するための形態】
【００１８】
以下、本発明に係る空調制御装置の実施形態について、図を用いて説明する。図１は、本実施形態の空調制御装置１０の構成を示す図である。
【００１９】
空調制御装置１０は、居室１２内の冷暖房を行う空気機１４と、居室１２内の換気を行うとともに外気と室内空気の熱交換を行う熱交換器１６とを有する。
【００２０】
居室１２は、利用者が利用する部屋であり、例えばビルなどの建物の執務スペースや会議室である。居室１２には、利用者の出入り口となる扉１８が設けられている。なお、居室１２は、一つに限らず複数の部屋とすることができる。
【００２１】
空調機１４は、ファン及びコイル（図示せず）を内蔵している。コイルで冷却または加熱された空気をファンが居室１２内に送り出すことにより、空調機１４は居室１２内の冷房または暖房を行う。空調機１４には、空調機１４を操作する操作部（図示せず）が接続されている。操作部は、リモコン、複数台の空調機を操作する集中コントローラなどである。操作部は、空調機１４の運転及び停止、居室１２内の設定温度Ｔｓｅｔの調整、風向き及び風速の調整などを行うことができる。なお、居室１２に対応する空調機１４の台数が一台に限らず複数台とすることができる。
【００２２】
熱交換器１６は、給気用と排気用のファン及び熱交換部（図示せず）を内蔵している。給気用ファンが外気を居室１２内に送り出すとともに、排気用ファンが室内空気を居室１２の外部へ送り出すことにより、熱交換器１６は外気と室内空気を交換して居室１２内の換気を行う。また、熱交換器１６は、この内部において外気と室内空気が熱交換部を通過するように風路を切り替えることにより、外気と室内空気の間で熱交換を行う。このように、熱交換器１６は、外気と室内空気を交換する換気運転と、外気と室内空気を交換するとともに外気を室内空気の間で熱を交換する熱交換運転とをすることができ、これらの運転を切り替えることができる。熱交換器１６には、熱交換器１６を操作する操作部（図示せず）が接続されている。操作部は、リモコン、複数台の熱交換器を操作する集中コントローラなどである。操作部は、熱交換器１６の運転及び停止、換気運転と熱交換運転の切り替え、風速の調整などを行うことができる。なお、熱交換器１６に内蔵される熱交換部は、顕熱と潜熱を含む全熱を交換する全熱交換部であっても、顕熱のみを交換する顕熱交換部であってもよい。
【００２３】
また、空調制御装置１０は、居室１２内の温度（以降、室内温度という）Ｔｉｎを検出する室内温度センサ２０と、外気の温度（以降、外気温度という）Ｔｏｕｔを検出する外気温度センサ２２と、室内温度Ｔｉｎと外気温度Ｔｏｕｔと設定温度Ｔｓｅｔとに基づいて、空調機１４と熱交換機１６を制御する空調コントローラ２４とを有する。
【００２４】
室内温度センサ２０は、居室１２内に設置される。室内温度センサ２０には、空調コントローラ２４が接続されている。室内温度センサ２０は、検出した室内温度Ｔｉｎを空調コントローラ２４に出力する。
【００２５】
外気温度センサ２２は、居室１２がある建物の外部に設置される。外気温度センサ２２には、空調コントローラ２４が接続されている。外気温度センサ２２は、検出した外気温度Ｔｏｕｔを空調コントローラ２４に出力する。
【００２６】
空調コントローラ２４には、空調機１４と熱交換器１６が接続されている。空調コントローラ２４は、室内温度センサ２０から室内温度Ｔｉｎを取得し、外気温度センサ２２から外気温度Ｔｏｕｔを取得する。また、空調コントローラ２４は、空調機１４から設定温度Ｔｓｅｔを取得する。なお、空調コントローラ２４は、空調機１４の制御部から設定温度Ｔｓｅｔを取得することもできる。
【００２７】
本実施形態における空調制御装置１０は、空調コントローラ２４が、外気温度Ｔｏｕｔが室内温度Ｔｉｎと設定温度Ｔｓｅｔの間にある場合、設定温度Ｔｓｅｔと外気温度Ｔｏｕｔの温度差に基づいて、空調機１４と熱交換器１６を制御することを特徴とする。以下、具体的な、空調コントローラ２４の制御方法について夏期と冬期とに分けて詳述する。ここで、夏期とは、一般的に、空調機が冷房運転を行う時期のことであり、この時期においては、外部および内部環境の影響で室内温度が、利用者が要求する快適な温度より上昇してしまうため、空調機の設定温度が室内温度より低く設定される。一方、冬期とは、一般的に、空調機が暖房運転を行う時期のことであり、この時期においては、外部環境の影響で室内温度が、利用者が要求する快適な温度より低下してしまうため、空調機の設定温度が室内温度より高く設定される。
【００２８】
夏期において、外気温度Ｔｏｕｔが例えば２８℃、室内温度Ｔｉｎが例えば３２℃、設定温度Ｔｓｅｔが例えば２４℃とすると、外気温度Ｔｏｕｔが室内温度Ｔｉｎと設定温度Ｔｓｅｔの間にある状態となる。この状態においては、外気温度Ｔｏｕｔ（２８℃）が室内温度Ｔｉｎ（３２℃）より低いため、室内に外気をそのまま導入することにより室内温度Ｔｉｎを低下させることができる。すなわち、熱交換器１６が換気運転をすることにより、空調機１４の冷房運転と同じ効果を得ることができる。したがって、空調機１４を停止させることができ、空調機１４の電力消費量を削減することができる。しかしながら、熱交換器１６の換気運転のみでは、室内温度Ｔｉｎを外気温度Ｔｏｕｔまでしか低下させることができないため、利用者が要求する設定温度Ｔｓｅｔに到達することができず、必ずしも快適な室内環境を得ることができない可能性がある。
【００２９】
そこで、図２に示されるように、設定温度Ｔｓｅｔと外気温度Ｔｏｕｔの温度差に２つの閾値、すなわち第一の所定値Ｔ１と、これより低く設定された第二の所定値Ｔ２を設け、これらの所定値Ｔ１，Ｔ２と外気温度Ｔｏｕｔとの関係に基づいて、空調機１４と熱交換器１６とを制御する。本実施形態においては、第一の所定値Ｔ１が５℃に設定される。すなわち、設定温度Ｔｓｅｔが２４℃であるので、第一の所定値Ｔ１は２９℃に位置する。また、本実施形態においては、第二の所定値Ｔ２が１℃に設定される。すなわち、設定温度Ｔｓｅｔが２４℃であるので、第二の所定値Ｔ２は２５℃に位置する。なお、第一及び第二の設定値Ｔ１，Ｔ２は、上述した温度に限定されず、他の温度を設定することができる。
【００３０】
具体的には、空調コントローラ２４は、設定温度Ｔｓｅｔと外気温度Ｔｏｕｔの温度差が第一の所定値Ｔ１以上である場合、すなわち、外気温度Ｔｏｕｔが図２に示す第一の所定値Ｔ１より高い位置にある場合、空調機１４を運転させ、熱交換器１６を熱交換運転させる。設定温度Ｔｓｅｔと外気温度Ｔｏｕｔの温度差が大きい場合、機器の電力消費量を削減することより、むしろ快適な室内環境を得ることが優先されるからである。
【００３１】
また、空調コントローラ２４は、設定温度Ｔｓｅｔと外気温度Ｔｏｕｔの温度差が第二の所定値Ｔ２以上かつ第一の所定値Ｔ１未満である場合、すなわち、外気温度Ｔｏｕｔが図２に示す第一の所定値Ｔ１より低くかつ第二の所定値Ｔ２より高い位置にある場合、空調機１４を停止させ、熱交換器１６を換気運転に切り替えて運転させる。設定温度Ｔｓｅｔと外気温度Ｔｏｕｔの温度差が小さくなると、熱交換器１６が換気運転をすることにより、空調機１４の冷房運転と同じ効果を得ることができる。そして、熱交換器１６から送り出される風により利用者の体感温度は実際の室内温度Ｔｉｎより低下するので、熱交換器１６の換気運転により低下した室内温度Ｔｉｎが設定温度Ｔｓｅｔより高くても、利用者は、室内温度Ｔｉｎが設定温度Ｔｓｅｔに到達しているものと体感し、快適な室内環境を得ることができる。また、空調機１４が停止するので、電力消費量を削減することができる。
【００３２】
また、空調コントローラ２４は、設定温度Ｔｓｅｔと外気温度Ｔｏｕｔの温度差が第二の所定値Ｔ２未満である場合、すなわち、外気温度Ｔｏｕｔが図２に示す第二の所定値Ｔ２より低い場合、空調機１４を停止させ、熱交換器１６を熱交換運転に切り替えて運転させる。設定温度Ｔｓｅｔと外気温度Ｔｏｕｔの温度差がさらに小さくなると、熱交換器１６が熱交換運転をすることにより、外気温度Ｔｏｕｔの影響を直接室内温度Ｔｉｎに与えないようにするためである。
【００３３】
冬期において、外気温度Ｔｏｕｔが例えば１５℃、室内温度Ｔｉｎが例えば１０℃、設定温度Ｔｓｅｔが例えば２４℃とすると、外気温度Ｔｏｕｔが室内温度Ｔｉｎと設定温度Ｔｓｅｔの間にある状態となる。この状態においては、外気温度Ｔｏｕｔ（１５℃）が室内温度Ｔｉｎ（１０℃）より高いため、室内に外気をそのまま導入することにより室内温度Ｔｉｎを上昇させることができる。すなわち、熱交換器１６が換気運転をすることにより、空調機１４の暖房運転と同じ効果を得ることができる。したがって、空調機１４を停止させることができ、空調機１４の電力消費量を削減することができる。しかしながら、熱交換器１６の換気運転のみでは、室内温度Ｔｉｎを外気温度Ｔｏｕｔまでしか上昇させることができないため、利用者が要求する設定温度Ｔｓｅｔに到達することができず、必ずしも快適な室内環境を得ることができない可能性がある。
【００３４】
そこで、図３に示されるように、設定温度Ｔｓｅｔと外気温度Ｔｏｕｔの温度差に２つの閾値、すなわち第一の所定値Ｔ１と、これより低く設定された第二の所定値Ｔ２を設け、これらの所定値Ｔ１，Ｔ２と外気温度Ｔｏｕｔとの関係に基づいて、空調機１４と熱交換器１６とを制御する。本実施形態においては、第一の所定値Ｔ１が５℃に設定される。すなわち、設定温度Ｔｓｅｔが２４℃であるので、第一の所定値Ｔ１は１９℃に位置する。また、本実施形態においては、第二の所定値Ｔ２が１℃に設定される。すなわち、設定温度Ｔｓｅｔが２４℃であるので、第二の所定値Ｔ２は２３℃に位置する。なお、第一及び第二の所定値Ｔ１，Ｔ２は、上述した温度に限定されず、他の温度を設定することができる。
【００３５】
具体的には、空調コントローラ２４は、設定温度Ｔｓｅｔと外気温度Ｔｏｕｔの温度差が第一の所定値Ｔ１以上である場合、すなわち、外気温度Ｔｏｕｔが図３に示す第一の所定値Ｔ１より低い位置にある場合、空調機１４を運転させ、熱交換器１６を熱交換運転させる。設定温度Ｔｓｅｔと外気温度Ｔｏｕｔの温度差が大きい場合、機器の電力消費量を削減することより、むしろ快適な室内環境を得ることが優先されるからである。
【００３６】
また、空調コントローラ２４は、設定温度Ｔｓｅｔと外気温度Ｔｏｕｔの温度差が第二の所定値Ｔ２以上かつ第一の所定値Ｔ１未満である場合、すなわち、外気温度Ｔｏｕｔが図３に示す第一の所定値Ｔ１より高くかつ第二の所定値Ｔ２より低い位置にある場合、空調機１４を停止させ、熱交換器１６を換気運転に切り替えて運転させる。設定温度Ｔｓｅｔと外気温度Ｔｏｕｔの温度差が小さくなると、熱交換器１６が換気運転をすることにより、空調機１４の暖房運転と同じ効果を得ることができる。そして、熱交換器１６から送り出される風により利用者の体感温度は実際の室内温度Ｔｉｎより上昇するので、熱交換器１６の換気運転により上昇した室内温度Ｔｉｎが設定温度Ｔｓｅｔより高くても、利用者は、室内温度Ｔｉｎが設定温度Ｔｓｅｔに到達しているものと体感し、快適な室内環境を得ることができる。また、空調機１４が停止するので、電力消費量を削減することができる。
【００３７】
また、空調コントローラ２４は、設定温度Ｔｓｅｔと外気温度Ｔｏｕｔの温度差が第二の所定値Ｔ２未満である場合、すなわち、外気温度Ｔｏｕｔが図３に示す第二の所定値Ｔ２より高い場合、空調機１４を停止させ、熱交換器１６を熱交換運転に切り替えて運転させる。設定温度Ｔｓｅｔと外気温度Ｔｏｕｔの温度差がさらに小さくなると、熱交換器１６が熱交換運転をすることにより、外気温度Ｔｏｕｔの影響を直接室内温度Ｔｉｎに与えないようにするためである。
【００３８】
このように、空調コントローラ２４が、外気温度Ｔｏｕｔが室内温度Ｔｉｎと設定温度Ｔｓｅｔの間にある場合、設定温度Ｔｓｅｔと外気温度Ｔｏｕｔの温度差に基づいて、空調機１４と熱交換器１６を制御することにより、快適な室内環境を確保しつつ、機器の電力消費量を削減することができる。
【００３９】
図１に戻り、さらに、空調制御装置１０は、居室１２への利用者の入退室を監視する入退室管理部２８と、居室１２内に配置され、居室１２内の利用者を感知する人感センサ３０とを有する。人感センサ３０には、入退室管理部２８が接続されており、人感センサ２０は、検出した利用者の情報を入退室管理部２８に出力する。
【００４０】
入退室管理部２８には、空調コントローラ２４が接続されている。入退室管理部２８は、人感センサ３０の検出結果に基づいて、居室１２内に利用者がいるか否かを判断する。そして、入退室管理部２８が、判断結果を空調コントローラ２４に出力する。
【００４１】
空調コントローラ２４は、入退室管理部２８が、居室１２内に利用者がいないと判断した場合、室内温度Ｔｉｎと外気温度Ｔｏｕｔと設定温度Ｔｓｅｔとに関係なく、空調機１４と熱交換器１６を停止させる。これにより、空調機１４と熱交換器１６の消し忘れを防止することができ、これらの機器の電力消費量を削減することができる。
【００４２】
次に、空調制御装置１０の制御動作の一例について図４，５を用いて説明する。図４は、夏期における空調制御装置１０の制御動作を示すフローチャートであり、図５は、冬期における空調制御装置１０の制御動作を示すフローチャートである。なお、夏期においては、設定温度Ｔｓｅｔは室内温度Ｔｉｎより低く設定され、冬期においては、設定温度Ｔｓｅｔは室内温度Ｔｉｎより高く設定されているものとする。
【００４３】
まず、夏期における空調制御装置１０の制御動作を説明する。ステップＳ１０１において、室内温度センサ２０により室内温度Ｔｉｎが検出され、外気温度センサ２２により外気温度Ｔｏｕｔが検出される。そして、ステップＳ１０２において、入退室管理部２８により居室１２内に利用者がいるか否かが判断される。居室１２内に利用者がいると判断された場合、ステップＳ１０３に進む。一方、居室１２内に利用者がいないと判断された場合、ステップＳ１０８に進む。
【００４４】
ステップＳ１０３においては、外気温度Ｔｏｕｔが室内温度Ｔｉｎ未満であるか否かが判断される。外気温度Ｔｏｕｔが室内温度Ｔｉｎ未満である場合、すなわち、外気温度Ｔｏｕｔが室内温度Ｔｉｎと設定温度Ｔｓｅｔの間にある場合、ステップＳ１０４に進む。一方、外気温度Ｔｏｕｔが室内温度Ｔｉｎ以上である場合、ステップＳ１０９に進む。
【００４５】
ステップＳ１０４においては、外気温度ｔｏｕｔと設定温度Ｔｓｅｔの温度差が第一の所定値Ｔ１未満であるか否かが判断される。外気温度ｔｏｕｔと設定温度Ｔｓｅｔの温度差が第一の所定値Ｔ１未満である場合、ステップＳ１０５に進む。一方、外気温度ｔｏｕｔと設定温度Ｔｓｅｔの温度差が第一の所定値Ｔ１以上である場合、ステップＳ１０９に進む。
【００４６】
ステップＳ１０５においては、外気温度ｔｏｕｔと設定温度Ｔｓｅｔの温度差が第二の所定値Ｔ２以上であるか否かが判断される。外気温度ｔｏｕｔと設定温度Ｔｓｅｔの温度差が第二の所定値Ｔ２以上である場合、ステップＳ１０６に進み、空調コントローラ２４は、空調機１４を停止させ、熱交換器１６を換気運転に切り替えて運転させる。一方、外気温度ｔｏｕｔと設定温度Ｔｓｅｔの温度差が第二の所定値Ｔ２未満である場合、ステップＳ１０７に進み、空調コントローラ２４は、空調機１４を停止させ、熱交換器１６を熱交換運転に切り替えて運転させる。
【００４７】
ステップＳ１０８においては、空調コントローラ２４は、空調機１４と熱交換器１６を停止させる。居室１２内に利用者がいないのに、空調機１４と熱交換器１６を運転させると、電力の無駄になるからである。また、ステップＳ１０９においては、空調コントローラ２４は、空調機１４を運転させ、熱交換器１６を熱交換運転に切り替えて運転させる。この状況においては、機器の電力消費量の削減を図るより、快適な室内環境を確保するほうが優先されるからである。
【００４８】
続いて、冬期における空調制御装置１０の制御動作を説明する。ステップＳ２０１において、室内温度センサ２０により室内温度Ｔｉｎが検出され、外気温度センサ２２により外気温度Ｔｏｕｔが検出される。そして、ステップＳ２０２において、入退室管理部２８により居室１２内に利用者がいるか否かが判断される。居室１２内に利用者がいると判断された場合、ステップＳ２０３に進む。一方、居室１２内に利用者がいないと判断された場合、ステップＳ２０８に進む。
【００４９】
ステップＳ２０３においては、外気温度Ｔｏｕｔが室内温度Ｔｉｎ超であるか否かが判断される。外気温度Ｔｏｕｔが室内温度Ｔｉｎ超である場合、すなわち、外気温度Ｔｏｕｔが室内温度Ｔｉｎと設定温度Ｔｓｅｔの間にある場合、ステップＳ２０４に進む。一方、外気温度Ｔｏｕｔが室内温度Ｔｉｎ以下である場合、ステップＳ２０９に進む。
【００５０】
ステップＳ２０４においては、設定温度Ｔｓｅｔと外気温度ｔｏｕｔの温度差が第一の所定値Ｔ１未満であるか否かが判断される。設定温度Ｔｓｅｔと外気温度ｔｏｕｔの温度差が第一の所定値Ｔ１未満である場合、ステップＳ２０５に進む。一方、設定温度Ｔｓｅｔと外気温度ｔｏｕｔの温度差が第一の所定値Ｔ１以上である場合、ステップＳ２０９に進む。
【００５１】
ステップＳ２０５においては、設定温度Ｔｓｅｔと外気温度ｔｏｕｔの温度差が第二の所定値Ｔ２以上であるか否かが判断される。設定温度Ｔｓｅｔと外気温度ｔｏｕｔの温度差が第二の所定値Ｔ２以上である場合、ステップＳ２０６に進み、空調コントローラ２４は、空調機１４を停止させ、熱交換器１６を換気運転に切り替えて運転させる。一方、設定温度Ｔｓｅｔと外気温度ｔｏｕｔの温度差が第二の所定値Ｔ２未満である場合、ステップＳ２０７に進み、空調コントローラ２４は、空調機１４を停止させ、熱交換器１６を熱交換運転に切り替えて運転させる。
【００５２】
ステップＳ２０８においては、空調コントローラ２４は、空調機１４と熱交換器１６を停止させる。居室１２内に利用者がいないのに、空調機１４と熱交換器１６を運転させると、電力の無駄になるからである。また、ステップＳ２０９においては、空調コントローラ２４は、空調機１４を運転させ、熱交換器１６を熱交換運転に切り替えて運転させる。この状況においては、機器の電力消費量の削減を図るより、快適な室内環境を確保するほうが優先されるからである。
【００５３】
本実施形態においては、入退室管理部２８が、人感センサ３０の検出結果に基づいて、居室１２内に利用者がいるか否かを判断する場合について説明したが、この構成に限定されない。空調制御装置１０は、居室１２の外に配置され、利用者が保持する記憶媒体に記憶された情報を読み取る情報読取部を有し、入退室管理部２８が、情報読取部からの情報に基づいて、居室１２内に利用者がいるか否かを判断することもできる。ここで、記憶媒体は、例えばＩＣカードであり、情報読取部は、例えばカードリーダーである。また、居室１２の扉１８には電気錠が設けられ、入退室管理部２８は、情報読取部からの情報に基づいて、居室１２の扉１８の施錠及び解錠を制御することもできる。
【符号の説明】
【００５４】
１０  空調制御装置、１２  居室、１４  空調機、１６  熱交換器、１８  扉、２０  室内温度センサ、２２  外気温度センサ、２４  空調コントローラ、２８  入退室管理部、３０  人感センサ。
【図１】
2010181078.tif 000003
【図２】
2010181078.tif 000004
【図３】
2010181078.tif 000005
【図４】
2010181078.tif 000006
【図５】
2010181078.tif 000007